(57)【要約】【課題】簡単な操作で複数の棚板の取付けが可能な組立式コンテナを提供すること。【解決手段】パレットと、内部に収納空間が形成されるようにパレットの上に立設される複数の側板と、前記側板の上端部に着脱自在に取付けられる複数の吊り下げベルトと、前記収納空間を上下に仕切るように、前記吊り下げベルトの少なくとも下端部に着脱自在に取付けられる少なくとも１枚の棚板とを、有する組立式コンテナ。【選択図】　図３
2004026256.tif 000002
【特許請求の範囲】
【請求項１】
パレットと、内部に収納空間が形成されるようにパレットの上に立設される複数の側板と、
前記側板の上端部に着脱自在に取付けられる複数の吊り下げベルトと、
前記収納空間を上下に仕切るように、前記吊り下げベルトの少なくとも下端部に着脱自在に取付けられる少なくとも１枚の棚板とを、有する組立式コンテナ。
【発明の詳細な説明】
【０００１】
【発明の属する技術分野】
本発明は、積み重ねて収納した場合には変形して形状を損なう食料品などの柔らかい収納物を、形状を損なわずに、効率よく、大量に収納可能とする、着脱自在の棚板を有する組立式コンテナに関する。
【０００２】
【従来の技術】
変形し易い柔らかい製品を積重ねてコンテナに大量に収納すると、下部の製品は上部の製品の荷重によって潰され、形状が損なわれる場合が多い。
このために、予め側板に所定間隔の棚板保持部材を複数取り付け、棚板挿入側の側板を組立てずにコンテナを組立て、製品を収納した後に棚板を挿入し、この上に製品を収納して再び棚板を挿入することを繰り返し、所定量の製品の収納が終わった後に残りの側板を組立てるという煩雑な作業を行わねばならない。
【０００３】
【発明が解決しようとする課題】
本発明は上記の事情に鑑みてなされたものであり、本発明の目的は、簡単な操作で複数の棚板を取付けることが可能な組立式コンテナを提供することにある。本発明者らは、上記目的を達成すべく鋭意検討し、組立式コンテナの側板の上端部よりコンテナ内にベルトを吊下げ、そのベルトの下端部に棚板を取付けることを想到し、本発明を完成するに至った。
【０００４】
【課題を解決するための手段】
かかる本発明によれば、パレットと、内部に収納空間が形成されるようにパレットの上に立設される複数の側板と、
前記側板の上端部に着脱自在に取付けられる複数の吊り下げベルトと、
前記収納空間を上下に仕切るように、前記吊り下げベルトの少なくとも下端部に着脱自在に取付けられる少なくとも１枚の棚板とを、有する組立式コンテナが提供される。
【０００５】
【発明の実施の形態】
以下に本発明をさらに詳細に説明する。
本発明の組立式コンテナは、例えば、パレット上に固定した金属製固定枠に、複数の側板を着脱自在に立設して組立てる方式の組立式コンテナであり、予め棚板が取付けられる構造に形成されていない組立式コンテナがいずれも対象である。組立式コンテナには、種々の組立方式（機構）のものがあるが、どのような組立方式のものであっても構わない。
本発明の組立式コンテナには、棚板固定用金具を有する棚板と、棚板の該金具と係合させることで棚板を組立式コンテナに保持する吊下げベルトとを有している。
【０００６】
本発明で使用する吊下げベルトは、上部を組立式コンテナ側板の上端部に着脱自在に取り付けて組立式コンテナ内に吊下げて使用されるものである。１枚の棚板を保持するためには、その棚板に設けた棚板固定金具の数に対応する本数の吊下げベルトが必要である。図１に示す棚板１に対しては吊下げベルトは４本必要である。
【０００７】
図２は吊下げベルトの１例の側面図である。吊下げベルト６は、上部に組立式コンテナの側板上端部に取り付けるためのＬ字形の引掛金具７を有し、下端部に棚板を保持するための棚板固定保持８がそれぞれ設けられている。図１に示す棚板固定金具２は、吊下ベルト６の棚板保持金具８と係合させる。図２では、吊下げベルト６の棚板保持金具８は、棚板１の棚板固定金具２の突出片４と係合させるＬ字形の形状に加工した金属片であり、吊下げベルト６の下端部にリベットにより固定されている。引掛金具７も金属製で棚板保持金具８と同様にして吊下げベルト６の上端部に固定されている。
【０００８】
棚板保持金具８および棚板固定金具２は、棚板の大きさ、重量および棚板に積載される製品の重量などを考慮して、材質、大きさや形状、係合のさせ方など、また設置個数、取り付け方、取り付け位置などを決めればよく、とくに制限されるものではない。例えば、１本の吊下げベルトに所定の間隔で複数の棚板保持金具を取付け、複数の棚板を、１枚の棚板の棚板固定金具の総数の本数の吊下げベルトで保持して取付けることもできる。それぞれの金具や吊下げベルトに荷重が過度に掛かる恐れがあるときには、各棚板をそれぞれ独立に吊下げベルトを用いて保持することができる。その際、棚板と棚板との間隔に応じて長さの異なる吊下げベルトを使用する。
【０００９】
棚板の形状は、四角形や円形など組立式コンテナの形状によって決まるが、以下では組立式コンテナが箱形である場合の四角形の棚板を例に説明する。
図１は、棚板の１例である。上段は平面図、下段は断面図である。棚板１の一対の相対する側端部には、それぞれ棚板を保持する前記の吊下げベルト６に着脱自在に取り付けるための少なくとも２個の棚板固定金具２、２′と３、３′が設けられている。各棚板固定金具２、２′、３、３′は、棚板１の裏面側にＬ字形の突出片４（４′）、５（５′）を有するものであり、棚板側端部にリベットで固定されている。
【００１０】
図３は、組立式コンテナに１枚の棚板を着脱自在に取付けた状態の断面図を示す。組立式コンテナは、パレット１０に固定した金属製固定枠１１に各側板１２、１２′、１３（１３′）を差込んで組立てたもので、棚板１の左右の各側端部に対して各２本の吊下げベルト６を、それぞれのの引掛金具７を、側板１２、１２′の上端部に引掛けて吊下げ、棚板１はその棚板固定金具２と吊下げベルト６の棚板保持金具８とを係合させて保持される。
【００１１】
棚板保持金具８および棚板固定金具２に使用する材質としては、通常、金属、とくに鉄やステンレスが用いられる。吊下げベルト６の材質は、ポリエステルやポリプロピレンなどの荷重による伸びの少ないプラスチック製のシート状ベルト（バンド）が好ましいが、これに限定されるものではない。棚板の材質はとくに制限されないが、棚板は自重を軽くし、さらに強度を維持するうえでポリプロピレンなどのプラスチック製ハニカム構造板（プラスチック製ダンボール）の使用が好ましい。
【００１２】
【実施例】
以下に図面を参照して本発明の実施例を説明する。
図４は組立式コンテナＡに２枚の棚板１、１′を取付ける例を説明する図である。組立式コンテナＡは、パレット１０に固定した金属製固定枠１１に、底板１４、１対の側板１３、１３′をその下端部を差し込んで立設し、これらの側板の左右の側端部を他の一対の側板１２、１２′の側端に設けた取付け枠にはめ込み、側板１２、１２′をその下端部を金属製固定枠１１に差し込んで立設し、最後に隣接する側板を相互に側板固定金具１６で固定して組立られる。２枚の棚板１、１′は、それぞれ４本の２種（長さの異なる）の吊下げベルト６−１〜６−４（図示せず）と６′−１〜６′−４（図示せず）で各棚板の側端に設けた棚板固定金具（図示せず）と吊下げベルトの下端部に設けた棚板保持金具（図示せす）とを係合させて保持される。各吊下げベルトに設けた引掛金具７−１〜７〜４（図示せず）と７′−１〜７′−４（７′−３、４は図示せず）を側板１２、１２′の上端部に引掛けて吊下げることで２枚の棚板１、１′が組立式コンテナＡ内に取付けられる。
【００１３】
組立式コンテナＡに製品を収納する際には、先ず組立式コンテナの底部に積み重ねずに１段に製品を収納した後、組立式コンテナＡ内に吊下げられた吊下げベルト６−１〜６−４に棚板１を保持させ、この棚板上に製品を同様に収納した後、２枚目の棚板１′を同様にして取付け、製品を同様に収納した後に上蓋１５を被せて蓋をすることで製品の収納が終了する。収納する製品の大きさによって取付ける棚板の間隔は異なるので、図２に示すような種々の長さの吊下げベルトを用意することが好ましい。
【００１４】
上記例の組立式コンテナＡの外寸法は、幅８０ｃｍ×奥行１１０ｃｍ×高８４ｃｍで、底板、各側板、上蓋および各棚板は、いずれもポリプロピレン製の厚さ１ｃｍのプラスチック段ボールで形成され、それぞれの周縁にはコの字状の金属製枠が被せてある。吊下げベルトは、ポリプロピレン製ベルト（厚さ２ｍｍ、幅２５ｍｍ）である。
【００１５】
図５は吊下げベルトの１例である。引掛金具７および棚板保持金具８は、それぞれ吊下げベルト６の上端部および下端部にループ（輪）を形成し、ループ内に可動式にこれらの金具が取り付けられている（図５（１））。ループ端部とベルト本体は融着されている。引掛金具７は厚さ２ｍｍ、幅３０ｍｍのＳＵＳ片を断面形状がＬ字形になるように加工したもので、長辺４０ｍｍ、組立式コンテナの側板の上端部に引掛る部分の長さが４０ｍｍ、その先端を長辺に平行に折り返した部分の長さが２０ｍｍで、長辺の端部近傍に上記ベルトが挿入される長方形の孔が形成されている（図５（２））。棚板保持金具８も同様にループに可動式に取り付けられている。棚板保持金具８は、厚さ２ｍｍ、幅２２ｍｍ、長さ３５ｍｍのＳＵＳ片の一端近傍に上記と同様のベルト挿入孔が、他端近傍には棚板の棚板固定金具と係合させる断面形状がＵ字様の部分が形成されている（図５（３））。
【００１６】
図６は、棚板１の側端部に取付けられた棚板固定金具２の断面図である。棚板固定金具２はＳＵＳなどの金属製で、突出片４が棚板１の表面から下方に形成されたもの（１）、棚板１の表面と裏面との間の任意の位置から下方へ形成されたもの（２）、棚板１の裏面から下方へ形成されたもの（３）などが用いられる。また、棚板固定金具２は、（１）や（２）のように棚板１の裏面に補強用木片９などを介して取り付けることもできる。棚板固定金具２は棚板１にリベットなどで固定される。
【００１７】
図７は、図６（１）に示す棚板固定金具２が取り付けられた棚板１が、図５（３）に示す棚板保持金具８を有する吊下げベルト６に保持された状態を示す図である。
また、図８は、吊下げベルト６に設けた棚板保持金具８の例である。（１）は、一方の端部に設けた長方形の孔に、吊下げベルト６とは別個のベルトを可動式に挿入し、このベルトを吊下げベルト６に適当な手段で固定し、他端部に棚板保持金具の突出片を着脱自在に嵌挿するための長方形の孔が形成された長方形のＳＵＳ片からなる棚板保持金具８を示す図であり、（２）は図６（２）に示す棚板１の棚板固定金具２をこの棚板保持金具８と係合させて吊下げベルト６に棚板を保持させた場合を示す図である。図９は、棚板保持金具の他の例であって、（１）は吊下げベルト６に、裏面に設けた突出かしめ片で固定され、断面が長方形の筒形の形状を有する棚板保持金具８を示す図であり、（２）はこの棚板保持金具８と図６（３）に示す棚板１の棚板固定金具２を係合させて棚板１を吊下げベルト６に保持させた状態を示す図である。
【００１８】
図１０は、複数枚の棚板１を、複数個の棚板保持金具８を所定の間隔で取付けた１本の吊下げベルト６を使用して組立式コンテナ内に保持させた場合を示す図である。
【００１９】
【発明の効果】
かくして、本発明によれば、予め側板に棚板設置溝や棚板保持部材などが形成されていない組立式コンテナに棚板を着脱自在に取付けることができる組立式コンテナが提供される。
【図面の簡単な説明】
【図１】本発明で使用する棚板の１例を説明する平面図（１）と側面図（２）である。
【図２】本発明で使用する吊下げベルトの１例を説明する側面図である。
【図３】棚板を保持した組立式コンテナの断面図である。
【図４】本発明の組立式コンテナの斜視図である。
【図５】吊下げベルトの全体図（側面図）（１）、引掛金具の取り付け状態を説明する斜視図（２）、棚板保持金具の取り付け状態を説明する斜視図（３）である。
【図６】棚板固定金具の例を示す断面図である。
【図７】棚板を保持した状態を説明する断面図である。
【図８】吊下げベルトに取り付けた棚板保持金具の１例を説明する斜視図（１）と棚板を保持した状態を説明する断面図（２）である。
【図９】吊下げベルトに取付けた棚板保持金具の１例を説明する斜視図（１）と側面図（２）、および棚板を保持した状態を説明する断面図（３）である。
【図１０】１本の吊下げベルトで複数枚の棚板を保持する状態を説明する断面図である。
【符号の説明】
１、１′：棚板
２、２′、３、３′：棚板固定金具
４、４′、５、５′：突出片
６、６′：吊下げベルト
７、７′：引掛金具
８：棚板保持金具
９：補強用木片
１０：パレット
１１：金属製固定枠
１２、１２′、１３、１３′：側板
１４：底板
１５：上蓋
１６：側板固定金具
【図１】
2004026256.tif 000003
【図２】
2004026256.tif 000004
【図３】
2004026256.tif 000005
【図４】
2004026256.tif 000006
【図５】
2004026256.tif 000007
【図６】
2004026256.tif 000008
【図７】
2004026256.tif 000009
【図８】
2004026256.tif 000010
【図９】
2004026256.tif 000011
【図１０】
2004026256.tif 000012